(57)【要約】【課題】  インデックスラベルの貼付時に目安となるものがあるインデックスラベルを作成可能なインデックスラベル作成機能を有したテープ印刷装置を提供する。【解決手段】  インデックスラベル作成機能を備えたテープ印刷装置において、入力手段と、インデックスラベル61の中心線69に対して対称となるように、中心線69側に印刷領域62を設定し、端辺側に少なくとも貼り代領域64を有した非印刷領域63を設定する領域設定手段と、貼り代領域64の中心線69側に位置する境界線上に貼付対象70へ貼付する場合の目印67を設定する目印設定手段と、印刷データを作成する印刷データ作成手段と、印刷テープに印刷するテープ印刷手段と、フルカット手段と、これらの各手段を制御する制御手段と、を備える。【選択図】      図４
2010069624.tif 000002
【特許請求の範囲】
【請求項１】
印刷層と剥離層とを積層してなる印刷テープに文字等の印刷を行ない、文字等が印刷された印刷層を貼付対象の端辺に貼付して用いるインデックスラベルを作成するインデックスラベル作成機能を備えたテープ印刷装置において、
入力手段と、前記インデックスラベルの中心線に対して対称となるように、中心線側に印刷領域を設定し、端辺側に少なくとも貼り代領域を有した非印刷領域を設定する領域設定手段と、前記貼り代領域における中心線側に位置する境界線上に貼付対象へ貼付する場合の目印を設定する目印設定手段と、前記領域設定手段が設定した領域情報及び前記目印設定手段が設定した目印情報並びに前記入力手段から入力された入力情報に基づいて印刷データを作成する印刷データ作成手段と、該印刷データに基づいて前記印刷テープに印刷するテープ印刷手段と、フルカット手段と、これらの各手段を制御する制御手段と、を備えることを特徴とするテープ印刷装置。
【請求項２】
前記インデックスラベルの列を確認する列確認手段を備え、
前記制御手段は、前記列確認手段において確認した列が２列目以上である場合、前記領域設定手段を制御して前記印刷領域と近接する側に位置し前記印刷領域の幅以上の幅である空白領域と、端辺側に位置する前記貼り代領域とに前記非印刷領域を区画させ、前記目印設定手段を制御して前記貼り代領域と空白領域の境界線上に目印を設定させることを特徴とする請求項１に記載のテープ印刷装置。
【請求項３】
前記列確認手段が確認した貼付け列の情報から列数及び各列が備える前記インデックスラベルの枚数並びに前記インデックスラベルの印刷順を設定する列設定手段と、ハーフカット手段と、を備え、
前記制御手段は、前記列設定手段が設定した情報を基に前記印刷データ作成手段を制御して印刷データを作成させ、同列に位置する各インデックスラベル間にはハーフカット処理を実行させ、各列間にはフルカット処理を実行させることを特徴とする請求項２に記載のテープ印刷装置。
【請求項４】
前記インデックスラベルの中心線が前記印刷テープの中心線と一致していることを特徴とする請求項１乃至請求項３のいずれかに記載のテープ印刷装置。
【請求項５】
前記インデックスラベルの中心線が前記印刷テープの中心線と直交していることを特徴とする請求項１乃至請求項３のいずれかに記載のテープ印刷装置。
【発明の詳細な説明】
【技術分野】
【０００１】
本発明は、印刷テープに文字や模様等を印刷するテープ印刷装置に関する。
【背景技術】
【０００２】
テープカセット内に印刷層と剥離層を積層してなる印刷テープを収納し、このテープカセットを印刷装置にセットして、印刷層にキーボード等の入力手段から入力された或いは他の機器から出力された文字、記号等を印刷する装置としてテープ印刷装置がある。
【０００３】
このテープ印刷装置は、ファイリング時に項目名を記載するインデックスラベルを作成する装置として使用されることがある。例えば、特開平１０−１８１１４０号公報（特許文献１）におけるテープ印刷装置（印刷装置）では、印刷テープを、中間部分を折り線とする２つの同一サイズの領域に区画し、この２つの領域に文字や模様等を印刷することでインデックスラベルを作成する提案がなされている。
【特許文献１】特開平１０−１８１１４０号公報
【発明の開示】
【発明が解決しようとする課題】
【０００４】
上述したような従来のテープ印刷装置で作成したインデックスラベルでは、インデックスラベルを貼付する場合の目安となるものがないため、外方に突出するタイトル部分の面積を一定に揃えて貼付することが困難であり、貼付されたインデックスラベルの突出量がインデックスラベル毎に異なることとなり、見栄えが良くないばかりか視認性も悪化するという問題があった。
【０００５】
本発明は、このような従来技術の問題点に鑑みてなされたものであり、インデックスラベルの貼付時に目安となるものがあり、貼付しやすく、且つ、貼付した後の視認性も高いインデックスラベルを作成可能なインデックスラベル作成機能を有したテープ印刷装置を提供することを目的としている。
【課題を解決するための手段】
【０００６】
本発明は、印刷層と剥離層とを積層してなる印刷テープに文字等の印刷を行ない、文字等が印刷された印刷層を貼付対象の端辺に貼付して用いるインデックスラベルを作成するインデックスラベル作成機能を備えたテープ印刷装置において、入力手段と、前記インデックスラベルの中心線に対して対称となるように、中心線側に印刷領域を設定し、端辺側に少なくとも貼り代領域を有した非印刷領域を設定する領域設定手段と、前記貼り代領域における中心線側に位置する境界線上に貼付対象へ貼付する場合の目印を設定する目印設定手段と、前記領域設定手段が設定した領域情報及び前記目印設定手段が設定した目印情報並びに前記入力手段から入力された入力情報に基づいて印刷データを作成する印刷データ作成手段と、該印刷データに基づいて前記印刷テープに印刷するテープ印刷手段と、フルカット手段と、これらの各手段を制御する制御手段と、を備えることを特徴とする。
【０００７】
又、前記インデックスラベルの列を確認する列確認手段を備え、前記制御手段は、前記列確認手段において確認した列が２列目以上である場合、前記領域設定手段を制御して前記印刷領域と近接する側に位置し前記印刷領域の幅以上の幅である空白領域と、端辺側に位置する前記貼り代領域とに前記非印刷領域を区画させ、前記目印設定手段を制御して前記貼り代領域と空白領域の境界線上に目印を設定させることを特徴とする。
【０００８】
更に、前記列確認手段が確認した貼付け列の情報から列数及び各列が備える前記インデックスラベルの枚数並びに前記インデックスラベルの印刷順を設定する列設定手段と、ハーフカット手段と、を備え、前記制御手段は、前記列設定手段が設定した情報を基に前記印刷データ作成手段を制御して印刷データを作成させ、同列に位置する各インデックスラベル間にはハーフカット処理を実行させ、各列間にはフルカット処理を実行させることを特徴とする。
【０００９】
そして、前記インデックスラベルの中心線が前記印刷テープの中心線と一致していることを特徴とする。
【００１０】
又、前記インデックスラベルの中心線が前記印刷テープの中心線と直交していることもある。
【発明の効果】
【００１１】
本発明によれば、インデックスラベルの貼付時に目安となるものがあり、貼付しやすく、且つ、貼付した後の視認性も高いインデックスラベルを作成可能なインデックスラベル作成機能を有したテープ印刷装置を提供することができる。
【発明を実施するための最良の形態】
【００１２】
本発明を実施するための最良の形態は、印刷層と剥離層とを積層してなる印刷テープ31に文字等の印刷を行ない、文字等が印刷された印刷層を貼付対象70の端辺に貼付して用いるインデックスラベル61を作成するインデックスラベル作成機能を備えたテープ印刷装置1において、入力手段としての入力部3と、インデックスラベル61の中心線69に対して対称となるように、中心線69側に印刷領域62を設定し、端辺側に少なくとも貼り代領域64を有した非印刷領域63を設定する領域設定手段と、貼り代領域64における中心線69側に位置する境界線上に貼付対象70へ貼付する場合の目印67を設定する目印設定手段と、領域設定手段が設定した領域情報及び目印設定手段が設定した目印情報並びに入力手段から入力された入力情報に基づいて印刷データを作成する印刷データ作成手段と、印刷データに基づいて印刷テープ31に印刷するテープ印刷手段としてのサーマルヘッド11と、フルカット手段としてのフルカット装置17と、これらの各手段を制御する制御手段としての制御部40と、を備えることを特徴とする。
【００１３】
又、インデックスラベル61の列を確認する列確認手段を備え、制御手段は、列確認手段において確認した列ｙが２列目以上である場合、領域設定手段を制御して印刷領域62と近接する側に位置し印刷領域62の幅以上の幅である空白領域65と、端辺側に位置する貼り代領域64とに非印刷領域63を区画させ、目印設定手段を制御して貼り代領域64と空白領域65の境界線上に目印を設定させることを特徴とする。
【実施例】
【００１４】
以下、本発明の実施例を図に基づいて詳説する。図１は本発明の実施例に係るテープ印刷装置の外観を示す斜視図であり、図２はこのテープ印刷装置に使用するテープカセットの外観及びテープ印刷装置の内部構造の一部を示す斜視図である。テープ印刷装置1は、表面に印刷面を備え裏面が粘着面とされた印刷層と剥離層が積層されて形成された印刷テープ31に文字や模様等を印刷するものであり、印刷テープ31の印刷された部分を切断し、貼付対象の端辺に外方に突出するように貼付して用いるインデックスラベルを作成するインデックスラベル作成機能を有する。
【００１５】
そして、このテープ印刷装置1は、図１に示したように、方形状の上面と、この上面から前方に傾斜する傾斜面と、両側面及び下面並びに背面とから形成された中空の筐体2を有し、筐体2の傾斜面には入力部3が形成され、上面には表示部4並びに開閉蓋5が形成され、所定の一側面には印刷テープ31が繰り出すテープ繰出部7が形成されている。尚、図示しないが、筐体2には、外部機器と接続するための入力端子や電源コードが接続される電源端子、メモリーカード挿入口等も形成されている。
【００１６】
又、入力部3は、文字データを入力する文字入力キー、印刷開始を指示する印刷キー、表示部4の表示画面上のカーソルを移動操作するカーソルキー、印刷モードの設定や各種設定処理を行なう種々の制御キーによって構成され、表示部4は、液晶表示装置であって、入力されたデータや各種設定のための選択メニュー画面や処理に関するメッセージ等が表示されると共に、作成されるラベルの長さや印刷モードの状態等の各種の情報を表示する。
【００１７】
更に、開閉蓋5の内側には、図２に示したように、印刷テープ31及びインクリボン35を収容したテープカセット21を装填するためのカセット装填部8が形成されている。又、カセット装填部8内には、印刷素子が縦方向に配列され、長尺の被印刷媒体である印刷テープ31に印刷を行なう印刷ヘッドであるサーマルヘッド11と、サーマルヘッド11との間で印刷テープ31及びインクリボン35を挟んでこれを搬送するプラテンローラ12と、印刷に使用したインクリボン35をテープカセット21内に巻取るリボン巻取軸13とを備えるテープ印刷機構45が形成され、更に、テープカセット21を所定の位置に支持するためのカセット受部15を備えている。
【００１８】
又、カセット装填部8の一端部に筐体2の外に通じる上述したテープ繰出部7が形成されており、このテープ繰出部7には、印刷テープ31の印刷層及び剥離層を幅方向にカットするフルカット手段としてのフルカット装置17と、印刷テープ31の印刷層のみをカットするハーフカット手段としてのハーフカット装置18が組み込まれている。
【００１９】
更に、テープカセット21は、カセットケース22を備え、このカセットケース22の内部には、印刷テープ31が巻装されたテープコア23、未使用のインクリボン35が巻装されたリボン供給コア24、使用済みのインクリボン35を巻取るリボン巻取コア25が夫々収納されている。又、テープカセット21のカセットケース22には、カセット装填部8内にテープカセット21を装填した場合にサーマルヘッド11が位置するヘッド配置部27が形成されている。
【００２０】
又、カセットケース22の隅部には、カセット装填部8のカセット受部15と係合し、このカセット受部15によって支持される被係合部29が形成されている。又、このカセットケース22の被係合部29には、図示しないがテープカセット21の種類に応じた所定の凹凸が形成され、カセット装填部8のカセット受部15にはテープカセット21が装填された場合にカセットケース22の被係合部29に形成された凹凸を判別する所定の可動突起16が形成され、カセットケース22をカセット装填部8に装填すると、カセットケース22の被係合部29に形成された凹凸とカセット装填部8のカセット受部15に形成された可動突起16が係合してテープカセット21の種類を判別可能とされるものである。尚、印刷テープ31は、幅が太いものや剥離層の長さ方向に予め切れ目が入れられた背割れタイプのもの等の様々な種類があり、テープカセット21を交換することで様々な印刷テープ31を使用できる。
【００２１】
そして、テープ印刷装置1は、入力部3で入力された印刷データや外部機器から出力された印刷データに対して印刷が指示されると、印刷テープ31とインクリボン35とがテープカセット21から引き出され、重ね合わせた状態でプラテンローラ12とサーマルヘッド11の間に挟まれて共に搬送されると共に、サーマルヘッド11が印刷データに基づいて発熱駆動され、インクリボン35のインクが印刷テープ31に熱転写されて印刷テープ31に印刷が行なわれ、印刷が終了すると、フルカット装置17が作動して印刷テープ31が切断され、１枚のインデックスラベルが作成される。
【００２２】
図３はこのテープ印刷装置1の電子回路の構成を示すブロック図である。図３に示すように、このテープ印刷装置1は、制御手段とされる制御部40と、テープ印刷機構45と、フルカット装置17と、ハーフカット装置18と、を備える。
【００２３】
この制御部40は、ＣＰＵ41と、ＣＰＵ41に接続された上述の入力部3や表示部4、各種のシステムプログラムやフォント等が記憶されたＲＯＭ42、ワークメモリとされるＲＡＭ43、外部機器と接続される入出力インターフェース44を備える。そして、ＣＰＵ41は、入力部3からのキー操作信号に応じてＲＯＭ42に予め記憶されているシステムプログラム、メモリカードに記憶された制御プログラム、入出力インターフェース44に接続された外部機器から読み込まれた制御プログラム等を起動させ、ＲＡＭ43をワークメモリとして回路各部の動作を制御する、或いは、各種の演算処理を行なう。
【００２４】
又、ＲＯＭ42には、入力部3から入力された文字を印刷するためのプログラム、印刷フォント等が記憶されている。
【００２５】
更に、ＲＡＭ43には、キー入力された文字や選択された模様、サイズや文字間隔等の印刷情報を記憶する入力データメモリ、入力された印刷情報が展開された印刷パターンデータが記憶される印刷データメモリ、表示部4に表示されるパターンデータが記憶される表示データメモリ等の各領域が確保され、印刷処理等に必要なデータを一時的に記憶するレジスタやカウンタ等が設けられている。
【００２６】
又、テープ印刷機構45は、テープ印刷手段とされるサーマルヘッド11と、搬送手段とされるプラテンローラ12及びプラテンローラ12を駆動させるステッピングモータ46とを備える。そして、テープ印刷機構45は、ステッピングモータ46が制御部40に制御されてプラテンローラ12を駆動させ、プラテンローラ12とサーマルヘッド11の間に位置する上述した印刷テープ31を搬送し、制御部40から出力された印刷データに基づいてサーマルヘッド11が印刷テープ31に文字や模様等を熱転写することによって印刷テープ31に随時文字や模様等を印刷する。
【００２７】
更に、フルカット装置17は、固定刃17aと、可動刃17bと、可動刃17bを駆動させるステッピングモータ48と、印刷テープ31の長さ方向の位置を検知する位置センサ49とを備える。そして、このフルカット装置17は、制御部40によって制御されるものであり、位置センサ49で印刷テープ31の位置を検知し、この検知した位置の情報である位置情報を制御部40に出力し、位置センサ49から位置情報を受信した制御部40がステッピングモータ48に駆動信号を出力して可動刃17bを駆動させ、固定刃17aと可動刃17bとの間で鋏の要領で印刷テープ31を幅方向にフルカットする。
【００２８】
又、ハーフカット装置18は、固定刃18aと、可動刃18bと、可動刃18bを駆動させるＤＣモータ50と、を備える。そして、ハーフカット装置18は、ＤＣモータ50が制御部40に制御されて可動刃18bを駆動させ、固定刃18aに可動刃18bを押し付けることにより印刷テープ31の印刷層のみをカットする。
【００２９】
そして、本実施例のテープ印刷装置1のインデックスラベル作成機能では、図４に示すように、貼付対象に貼付する場合の目安となる目印67が印刷されると共に、貼付する列によって貼付対象の辺から突出する面積が異なるインデックスラベル61を作成することを特徴とする。
【００３０】
このようなインデックスラベル61を作成するため、テープ印刷装置1は、入力手段としての入力部3と、表示手段としての表示部4と、領域設定手段と、目印設定手段と、列確認手段と、印刷データ作成手段と、テープ印刷手段としてのサーマルヘッド11と、フルカット手段としてのフルカット装置17と、制御手段としての制御部40と、を備える。
【００３１】
この領域設定手段は、作成するインデックスラベル61の中心線69に対して各領域が対称の位置関係となるように、中心線69側に印刷領域62を設定し、端辺側に少なくとも貼り代領域64を有した非印刷領域63を設定する。又、目印設定手段は、貼り代領域64の中心線69側に位置する辺の線上に、貼付対象へ貼付する場合の目印を設定する。更に、列確認手段は、インデックスラベル61が複数列に渡り、列によって突出量を変化させる場合に、作成するインデックスラベル61が何列目のインデックスラベル61であるかをユーザに指定させる。更に、印刷データ作成手段は、領域設定手段が設定した領域情報及び目印設定手段が設定した目印情報、列確認手段が確認した列情報、入力手段から入力されたタイトル情報に基づいて印刷データを作成する。
【００３２】
次に、インデックスラベル61を作成するための制御動作について図５に示すフローチャートを用いて述べる。インデックスラベル作成モードの場合、制御手段は、インデックスラベル61の長さを指定させる画面を表示手段に表示させ、ユーザにインデックスラベル61の数値を指定させる長さ指定処理を実行し（ステップＳ１０１）、ユーザが入力手段を操作することでインデックスラベル61の長さが指定されると、インデックスラベル61に印刷するタイトルを編集させる画面を表示手段に表示させ、ユーザにタイトルを編集させるタイトル編集処理を実行する（ステップＳ１０５）。
【００３３】
タイトル編集処理（ステップＳ１０５）においてユーザによるタイトル編集が終了すると、制御手段は、列確認手段を制御して作成するインデックスラベル61が何列目に位置するかをユーザに指定させる画面を表示手段に表示させ、インデックスラベル61の列を確認する列確認処理を実行する（ステップＳ１１０）。
【００３４】
尚、列とは、複数のインデックスラベル61を用いてファイリングする場合、各インデックスラベル61のタイトルが読み取れるよう上端近傍位置から順にインデックスラベル61の長さ分下方にずらして各インデックスラベル61を貼付することがあり、貼付する辺における上端近傍から下端近傍までのインデックスラベル61を総じて列と呼ぶ。又、インデックスラベル61の枚数が多い場合、１列に全てのインデックスラベル61が納らない場合があり、この場合には１列終了後に再び上端近傍から列をなすようにインデックスラベル61を貼付していく。よって、列確認処理（ステップＳ１１０）では、作成するインデックスラベル61がどの列に位置しているかを確認する。
【００３５】
列確認処理（ステップＳ１１０）が終了すると、制御手段は、印刷を実行するか否かユーザに確認する印刷実行確認処理を実行し（ステップＳ１１５）、印刷実行が選択されない場合にはインデックスラベル作成モードを終了する（ステップＳ１４５）。又、印刷実行確認処理（ステップＳ１１５）において印刷実行が選択された場合、制御手段は、領域設定手段を制御して作成するインデックスラベル61の領域を設定させる領域設定処理を実行する（ステップＳ１２０）。
【００３６】
この領域設定処理（ステップＳ１２０）において領域設定手段は、列確認処理（ステップＳ１１０）での結果が１列目であった場合、図４（ａ）に示したように、作成するインデックスラベル61の中心線69に対して各領域が対称の位置関係となるように、中心線69側に印刷領域62を設定し、端辺側に非印刷領域63としての貼り代領域64を設定する。又、列確認処理（ステップＳ１１０）での結果が２列目以上であった場合、領域設定手段は、図４（ｂ）に示したように、作成するインデックスラベル61の中心線69に対して各領域が対称の位置関係となるように、中心線69側に印刷領域62を設定し、列数をｙ、印刷領域の幅をＷとすると、（ｙ−１）×Ｗによって算出される幅の空白領域65を印刷領域62の外側に設定し、空白領域65の外側に貼り代領域64を設定する。つまり、２列目のインデックスラベル61を作成する場合、領域設定処理では（ステップＳ１２０）、印刷領域62の幅Ｗと同じ幅の空白領域65を印刷領域62と貼り代領域64との間に設定する。これにより１列目と２列目のインデックスラベル61が重なるように貼付された場合でも、２列目のインデックスラベル61において１列目のインデックスラベル61の後方に位置するのは空白領域65の部分のみであり、２列目の印刷領域62は１列目のインデックスラベル61から突出した状態となる。
【００３７】
領域設定処理（ステップＳ１２０）が終了すると、制御手段は、目印設定手段を制御して貼り代領域64の中心線69側に位置する辺の線上における上端及び下端に目印67を設定させる目印設定処理を実行し（ステップＳ１２５）、印刷データ作成手段を制御して印刷データを作成させる印刷データ作成処理を実行する（ステップＳ１３０）。
【００３８】
この印刷データ作成処理（ステップＳ１３０）において印刷データ作成手段は、ユーザが編集したタイトルのフォント情報を上述したＲＯＭ42から読み込み、印刷の向きや位置に係る印刷データを領域設定手段が設定した領域に従って作成し、目印67に係る印刷データを目印設定手段が設定した情報に従って作成する。
【００３９】
そして、印刷データ作成処理（ステップＳ１３０）の実行後、制御手段は、テープ印刷手段を制御して印刷データに従って印刷させる印刷処理を実行し（ステップＳ１３５）、フルカット処理を実行した後（ステップＳ１３７）、全てのインデックスラベル61の印刷が完了したか確認する印刷完了確認処理を実行し（ステップＳ１４０）、印刷が完了していない場合には次のインデックスラベル61の印刷を開始し、全てのインデックスラベル61の印刷が完了した場合にはインデックスラベル作成モードを終了する（ステップＳ１４５）。
【００４０】
このような制御により作成したインデックスラベル61は、列確認処理（ステップＳ１１０）での結果が１列目であった場合、図４（ａ）に示したように、中心線69の両側近傍に対称である２つの印刷領域62が形成され、この印刷領域62には「企画資料１」といったタイトルが印刷され、印刷領域62の両側に貼り代領域64とされる非印刷領域63が形成され、印刷領域62と非印刷領域63の境界線上であって上下両端に目印67となる直線が印刷されたインデックスラベル61となる。
【００４１】
この１列目のインデックスラベル61は、図６（ａ）に示すように、左右一方に位置する上下の目印67を貼付対象70の貼付する辺71と平行に合わせ、この状態のままで貼り代領域64を貼付対象70に貼付し、図６（ｂ）に示すように、中心線69で折り返して裏面側も同様に目印67を貼付する辺71と平行に合わせて貼り代領域64を貼付対象70に貼付して使用する。
【００４２】
又、２列目の場合、図４（ｂ）に示したように、中心線69の両側近傍に対称である２つの印刷領域62が形成され、この印刷領域62には「設計資料１」といったタイトルが印刷され、印刷領域62の両側に印刷領域62と幅が等しい空白領域65が形成され、空白領域65の外側に貼り代領域64が形成され、空白領域65と貼り代領域64の境界線上であって上下両端に目印67となる直線が印刷されたインデックスラベル61となる。
【００４３】
この２列目のインデックスラベル61も１列目のインデックスラベル61と同様に、図７（ａ）に示すように、左右一方に位置する上下の目印67を貼付する辺71と平行に合わせ、この状態で貼り代領域64を貼付対象70に貼付し、図７（ｂ）に示すように、中心線69で折り返して裏面側も同様に目印67を貼付する辺71と平行に合わせて貼り代領域64を貼付対象70に貼付して使用する。よって、貼付する辺71の外方に空白領域65も位置することになるため、印刷領域62は貼付対象70から大きく突出した状態となる。
【００４４】
よって、図８に示すように、１列目のインデックスラベル61と２列目のインデックスラベル61が重なった場合においても後方のタイトル部分は視認できるため、ファイル内でインデックスラベル61が複数列に渡る場合においても、前方のインデックスラベル61を捲って後方のタイトルを確認するといった作業が必要ない。
【００４５】
本実施例のテープ印刷装置1によれば、貼付する場合の目印67が印刷されたインデックスラベル61を作成することができ、このテープ印刷装置1において作成したインデックスラベル61を使用することにより、インデックスラベル61を貼付対象70に貼付する場合に、目印67を貼付する辺71と平行に合わせて貼付でき、インデックスラベル61が斜めになってしまうことや、同列のインデックスラベル61で貼付する辺71から突出する幅が異なるといったことを防止できる。
【００４６】
又、列によって目印67の位置が異なるインデックスラベル61を作成できるため、１列目と２列目を重ねて使用する場合等に、１列目のインデックスラベル61の貼付する辺71からの突出幅、２列目のインデックスラベル61の貼付する辺71からの突出幅を常に一定にすることができ、後方のインデックスラベル61のタイトルも１列目のインデックスラベル61を捲ることなく視認できる。
【００４７】
次に、本発明の変形例として上述したような目印67が印刷されたインデックスラベル61を剥離層が連結された状態で連続印刷する場合について述べる。本変形例に係るテープ印刷装置1は、インデックスラベル61を連続で作成するため、上述した実施例と同様に、入力手段としての入力部3と、表示手段としての表示部4と、領域設定手段と、目印設定手段と、列確認手段と、印刷データ作成手段と、テープ印刷手段としてのサーマルヘッド11と、フルカット手段としてのフルカット装置17と、制御手段としての制御部40と、を備えると共に、列確認手段が確認した列情報から列数及び各列が備えるインデックスラベル61の枚数並びにインデックスラベル61の印刷順を設定する列設定手段と、ハーフカット手段としてのハーフカット装置18と、を備える。
【００４８】
この本変形例に係るテープ印刷装置1の制御動作について図９のフローチャートを用いて述べる。インデックスラベル作成モードの場合、制御手段は、長さ指定処理（ステップＳ２０１）、タイトル編集処理（ステップＳ２０５）、列情報作成処理（ステップＳ２１０）を順に実行し、全てのインデックスラベル61の入力が完了したか確認する入力完了処理を実行する（ステップＳ２１３）。
【００４９】
入力完了処理（ステップＳ２１３）において、入力が完了していない場合には、制御手段は、入力が完了するまでタイトル編集処理（ステップＳ２０５）、列確認処理（ステップＳ２１０）を実行し、入力が完了すると、印刷を実行するか否かユーザに確認する印刷実行確認処理を実行する（ステップＳ２１５）。この印刷実行確認処理（ステップＳ２１５）において、印刷実行が選択されない場合にはインデックスラベル作成モードを終了する（ステップＳ２８０）。
【００５０】
又、印刷実行確認処理（ステップＳ２１５）において印刷実行が選択された場合、制御手段は、領域設定処理（ステップＳ２２０）、目印設定処理（ステップＳ２２５）を実行し、列設定手段を制御して列確認手段からの列情報から列数及び所定の列ｙが備えるインデックスラベル61の枚数Ｎｙ並びにインデックスラベル61の印刷順を設定する列設定処理を実行し（ステップＳ２２７）、印刷データ作成処理（ステップＳ２３０）を実行する。
【００５１】
この印刷データ作成処理において印刷データ作成手段は、上述した実施例と同様に、ユーザが編集したタイトルのフォント情報を上述したＲＯＭ42から読み込み、印刷の向きや位置に係る印刷データを領域設定手段が設定した領域に従って作成し、目印67に係る印刷データを目印設定手段が設定した情報に従って作成すると共に、列設定手段が設定した情報に基づいて、インデックスラベル61の印刷する順番、各列ｙに印刷するインデックスラベル61の枚数Ｎｙに係る印刷データも作成する。
【００５２】
印刷データ作成処理（ステップＳ２３０）の後、制御手段は、列ｙに１をセット（ステップＳ２３５）すると共にｎ（枚目）に１をセットし（ステップＳ２４０）、テープ印刷手段にｙ列ｎ枚目の印刷をさせる印刷実行処理を実行する（ステップＳ２４５）。
【００５３】
ｙ列ｎ枚目の印刷が完了すると、制御手段は、ｎが列ｙが備えるインデックスラベル61の枚数Ｎｙであるかを判定する列完了判定処理を実行し（ステップＳ２５０）、ｎ＝Ｎｙであった場合にはフルカット処理を実行する（ステップＳ２６５）。列完了判定処理（ステップＳ２５０）においてｎ＝Ｎｙでない場合には、制御手段は、ハーフカット処理を実行し（ステップＳ２５５）、ｎに１を加え（ステップＳ２６０）、ｙ列ｎ枚目の印刷実行処理を再び実行する（ステップＳ２４５）。
【００５４】
列完了判定処理（ステップＳ２５０）においてｎ＝Ｎｙであり、フルカット処理（ステップＳ２６５）を実行した後、制御手段は、全てのインデックスラベル61の印刷が完了したかを判定する印刷完了判定処理を実行し（ステップＳ２７０）、印刷が完了していない場合、列ｙに１を加えると共にｎをリセットし（ステップＳ２７５）、ｎに１をセットして（ステップＳ２４０）、再びｙ列ｎ枚目の印刷処理を実行する（ステップＳ２４５）。又、印刷完了判定処理（ステップＳ２７０）において印刷が完了している場合にはインデックスラベル作成モードを終了する（ステップＳ２８０）。
【００５５】
このように複数枚のインデックスラベル61を連続で作成した場合、図１０に示すように、各インデックスラベル61間にハーフカット68が入れられ、各列が分断された状態で作成されるため、貼付する場合に必要であるインデックスラベル61を探す手間が無くなり、貼付作業の効率化が図れる。
【００５６】
又、タイトルの向きを印刷テープ31の長手方向としている場合、つまり、インデックスラベル61の中心線69が印刷テープ31の中心線と一致している場合には、剥離層が連続で作成された各列の印刷テープ31を貼付する辺に添えることで、各インデックスラベル61を貼付する位置が確認でき、列の先頭からでなく途中のインデックスラベル61を貼付する場合でも各列におけるインデックスラベル61の位置を目安として貼付できる。
【００５７】
更に、図１１に示すように、タイトルの向きを印刷テープ31の幅方向とする、つまり、インデックスラベル61の中心線69が印刷テープ31の中心線と直交するように作成することもできる。このようにインデックスラベル61を作成した場合、インデックスラベル61の幅を自由に設定できるため、列数が３列、４列といったように空白領域65の幅が広くなる場合でも、空白領域65の幅を確保可能な幅のインデックスラベル61を作成でき、よって、複数列に渡るインデックスラベル61をタイトルが重ならないように貼付できる。
【００５８】
これらのインデックスラベル61を貼付対象70に貼付する場合は、図１２に示すように、貼付する辺71に目印67を合わせた状態で各インデックスラベル61を貼付対象70に貼付する。そして、このように貼付することにより、図１３に示すように、各インデックスラベル61のタイトルが重なり合うことが無く、上述した実施例と同様に、タイトルを確認する場合に前方のタイトルを捲って後方のタイトルを確認する必要が無くなる。
【００５９】
本変形例におけるテープ印刷装置1によれば、目印67が印刷されたインデックスラベル61を各列毎に連結された状態で連続印刷でき、これにより、各インデックスラベル61が混ざり合うことが無く、又、貼付する場合も所定のインデックスラベル61が何番目のインデックスラベル61であるかといった情報が明確となり、目印67が印刷されているため貼付の失敗も少なく、使用性が高いインデックスラベル61を作成できる。
【００６０】
又、本発明は、以上の実施例に限定されるものでなく、発明の要旨を逸脱しない範囲で自由に変更、改良が可能である。
【図面の簡単な説明】
【００６１】
【図１】本発明の実施例に係るテープ印刷装置の斜視図。
【図２】本発明の実施例に係るテープ印刷装置の内部拡大図及びテープカセットの斜視図。
【図３】本発明の実施例に係るテープ印刷装置の機能ブロック図。
【図４】本発明の実施例に係るテープ印刷装置で作成したインデックスラベルの正面図。
【図５】本発明の実施例に係るテープ印刷装置でインデックスラベルを作成する場合におけるフローチャート。
【図６】本発明の実施例に係るテープ印刷装置で作成した１列目のインデックスラベルを貼付対象に貼付する方法について説明する正面図。
【図７】本発明の実施例に係るテープ印刷装置で作成した２列目のインデックスラベルを貼付対象に貼付する方法について説明する正面図。
【図８】本発明の実施例に係るテープ印刷装置で作成した１列目及び２列目のインデックスラベルを貼付対象に貼付した場合の正面図。
【図９】本発明の変形例に係るテープ印刷装置でインデックスラベルを作成する場合におけるフローチャート。
【図１０】本発明の変形例に係るテープ印刷装置で連続印刷したインデックスラベルにおいてタイトルの向きが長手方向の場合の正面図。
【図１１】本発明の変形例に係るテープ印刷装置で連続印刷したインデックスラベルにおいてタイトルの向きが幅方向の場合の正面図。
【図１２】本発明の変形例に係るテープ印刷装置で連続印刷したインデックスラベルを貼付対象に貼付する方法について説明する正面図。
【図１３】本発明の変形例に係るテープ印刷装置で連続印刷したインデックスラベルを貼付対象に複数貼付けた場合の正面図。
【符号の説明】
【００６２】
1  テープ印刷装置                        2  筐体
3  入力部                                4  表示部
5  開閉蓋                                7  テープ繰出部
8  カセット装填部                        11  サーマルヘッド
12  プラテンローラ                       13  リボン巻取軸
15  カセット受部                         16  可動突起
17  フルカット装置
18  ハーフカット装置                     17a,18a  固定刃
17b,18b  可動刃                          21  テープカセット
22  カセットケース                       23  テープコア
24  リボン供給コア                       25  リボン巻取コア
27  ヘッド配置部                         29  被係合部
31  印刷テープ                           35  インクリボン
40  制御部                               41  ＣＰＵ
42  ＲＯＭ                               43  ＲＡＭ
44  入出力インターフェース               45  テープ印刷機構
46,48  ステッピングモータ                49  位置センサ
50  ＤＣモータ
61  インデックスラベル                   62  印刷領域
63  非印刷領域                           64  貼り代領域
65  空白領域                             67  目印
68  ハーフカット                         69  中心線
70  貼付対象                             71  貼付する辺
【図１】
2010069624.tif 000003
【図２】
2010069624.tif 000004
【図３】
2010069624.tif 000005
【図４】
2010069624.tif 000006
【図５】
2010069624.tif 000007
【図６】
2010069624.tif 000008
【図７】
2010069624.tif 000009
【図８】
2010069624.tif 000010
【図９】
2010069624.tif 000011
【図１０】
2010069624.tif 000012
【図１１】
2010069624.tif 000013
【図１２】
2010069624.tif 000014
【図１３】
2010069624.tif 000015